(57)【特許請求の範囲】
【請求項１】
多層のマイクロレンズ（２２）が形成される透明な第１層（１４、５１）、及び前記第１層の下で該第１層に対して固定された位置に配置され、かつ、多層マイクロスコーピック構造（２４）を有する第２層（１３、５２）を具備する多層体（１、５）において、
前記マイクロレンズ（２２）は、前記マイクロレンズ（２２）の焦点線によって決定される座標軸Ｘ１と、該座標軸Ｘ１とは異なる座標軸Ｙ１と、を有する第１座標系に亘るマイクロレンズグリッド（２１）に従って配置された、長さが２ｍｍを越え且つ幅が４００μｍ未満の円柱レンズであり、
前記マイクロスコーピック構造（２４）は、変換機能に従って、長手方向軸線に対して横切る横方向軸線に沿って歪んだマイクロイメージの形態をして配置されており、
前記マイクロスコーピック構造（２４）は、座標軸Ｘ２と、該座標軸Ｘ２とは異なる座標軸Ｙ２と、を有する第２座標系に亘るマイクロイメージグリッド（２３）に従って配置されており、
前記マイクロレンズグリッド（２１）の前記マイクロレンズ（２２）及び前記マイクロイメージグリッド（２３）の前記マイクロスコーピック構造（２４）が重なった関係にある前記多層体の領域（３１〜３６）では、前記マイクロレンズ（２２）の前記焦点線の間隔によって決定される線間隔と、互いに隣接するマイクロレンズとマイクロスコーピック構造の、前記マイクロイメージの重心の間隔によって決定される、前記マイクロイメージ間隔と、が１０％以下だけ異なっており、
前記座標軸Ｙ１と前記座標軸Ｙ２、並びに前記座標軸Ｘ１と前記座標軸Ｘ２は、それぞれ、前記領域（３１〜３４）において互いに平行な関係で配向され、隣接するマイクロレンズとマイクロスコーピック構造の前記線間隔及び前記マイクロイメージ間隔は、前記領域（３１〜３４）において互いに対して異なっていることを特徴とする多層体。
【請求項２】
前記マイクロレンズ（２２）は４００μｍ未満の幅を有し、及び／又は、前記マイクロレンズ（２２）は２ｍｍ〜１００ｍｍの長さを有しており、及び／又は、前記マイクロレンズ（２２）は２μｍ〜１００μｍの構造深さを有していることを特徴とする請求項１に記載の多層体（１、５）。
【請求項３】
前記マイクロレンズグリッドは１次元グリッドであることを特徴とする請求項１又は２に記載の多層体。
【請求項４】
前記マイクロレンズグリッドの前記グリッド間隔は前記領域で変化するか、あるいは、前記マイクロレンズグリッドの前記グリッド間隔は前記領域で周期的に変化するか、あるいは、前記マイクロレンズグリッドの前記グリッド間隔は前記領域（３１〜３６）で一定であることを特徴とする請求項１から請求項３までのいずれか１項に記載の多層体。
【請求項５】
前記マイクロレンズグリッドの前記グリッド間隔は、前記マイクロレンズの１つの幅と、０μｍ〜該マイクロレンズの前記構造深さの２０％の間の付加的間隔と、の総和であることを特徴とする請求項１から請求項４までのいずれか１項に記載の多層体。
【請求項６】
前記マイクロレンズは４００μｍの幅と、２ｍｍより大きな長さと、を有しており、前記長さは長手方向軸線によってその配向が決定されることを特徴とする請求項１から請求項５までのいずれか１項に記載の多層体（１、５）。
【請求項７】
前記マイクロイメージの前記長手方向軸線に関する前記マイクロイメージの横方向軸線は５倍以上前記変換機能によって変形されていることを特徴とする請求項１から請求項６までのいずれか１項に記載の多層体。
【請求項８】
前記マイクロイメージグリッドは、前記座標軸Ｘ２の方向に引き続いて配置された２つ以上のマイクロスコーピック構造を有する２次元マイクロイメージグリッドであることを特徴とする請求項１から請求項７までのいずれか１項に記載の多層体（１）。
【請求項９】
前記領域（３５、３６）における前記マイクロイメージの前記グリッド間隔は前記座標軸Ｙ２の方向に一定であり、
前記マイクロイメージの前記グリッド間隔は、前記座標軸Ｙ２によって決定される座標ｙ及び前記座標軸Ｘ２によって決定される座標ｘに応じて前記座標軸Ｘ２の方向に変動されることを特徴とする請求項８に記載の多層体。
【請求項１０】
前記領域（３３、３４）における前記マイクロイメージの前記グリッド間隔は、前記座標軸Ｙ２及び前記座標軸Ｘ２の方向にそれぞれ一定であるが、前記座標軸Ｘ２の方向における互いに隣接する関係で配置された前記マイクロイメージの重心は互いに対して変位されていることを特徴とする請求項８に記載の多層体。
【請求項１１】
前記領域（３３、３４）の第１副領域（３３１、３３３；３４１、３４３）及び、前記第１副領域に近く配置される、前記領域（３３、３４）の第２領域（３３２、３３４；３４２、３４４）では、それぞれの前記マイクロイメージグリッド及び／又は前記マイクロレンズグリッドは、前記座標軸Ｙ１及びＹ２のそれぞれに関して互いに対して位相変位しており、
前記領域の第１副領域と、前記第１副領域に近く配置された、前記領域の第２副領域では、座標軸Ｙ１及びＹ２及び／又はＸ１及びＸ２のそれぞれは異なる角度を含んでいる及び／又は前記領域の第１副領域と、前記第１副領域に近く配置された、前記領域の第２副領域では、前記マイクロレンズは異なる焦点距離を有することを特徴とする請求項１から請求項９までのいずれか１項に記載の多層体（１）。
【請求項１２】
多層のマイクロレンズ（２２）が形成される透明な第１層（１４、５１）と、前記第１層の下で該第１層に対して固定された位置に配置され、かつ、多層マイクロスコーピック構造（２４）を有する第２層（１３、５２）とを具備する多層体（５）を製造する方法において、
前記マイクロレンズ（２２）は、第２座標系に配置されたマイクロイメージグリッド（２３）に従って配置されており、
多数のマイクロスコーピック構造（２４）を有する第２層（５２）が第３層（５３）に貼り付けられ、透明な第１層（５１）が前記第３層（５３）より上に配置され、これにより、前記第２層が前記第１層と前記第３層の間に配置され、前記第１層及び前記第３層のそれぞれが全ての辺上で前記第２層を越えて突出し、及び前記多層体を構成する前記第１、第２及び第３層が、熱及び圧力を用いて、前記第１層の頂面側及び前記第３層の底面側に係合する工具（４１、４２、４３）によって共に積層され、
前記第１層（５１）の頂面側では、レンズグリッド（２１）の負形が成形され、かつ、前記工具の一部である、押圧プレート（４３）によって前記第１層（５１）の表面内に成形されることを特徴とする方法。
【請求項１３】
多層のマイクロレンズ（２２）が形成される透明な第１層（１４、５１）、及び前記第１層の下で該第１層に対して固定された位置に配置され、かつ、多層マイクロスコーピック構造（２４）を有する第２層（１３、５２）を具備する多層体（１、５）において、
前記マイクロレンズ（２２）は、前記マイクロレンズ（２２）の焦点線によって決定される座標軸Ｘ１と、該座標軸Ｘ１とは異なる座標軸Ｙ１と、を有する第１座標系に亘るマイクロレンズグリッド（２１）に従って配置された、長さが２ｍｍを越え且つ幅が４００μｍ未満の円柱レンズであり、
前記マイクロスコーピック構造（２４）は、変換機能に従って、長手方向軸線に対して横切る横方向軸線に沿って歪んだマイクロイメージの形態をして配置されており、
前記マイクロスコーピック構造（２４）は、座標軸Ｘ２と、該座標軸Ｘ２とは異なる座標軸Ｙ２と、を有する第２座標系に亘るマイクロイメージグリッド（２３）に従って配置されており、
前記マイクロレンズグリッド（２１）の前記マイクロレンズ（２２）及び前記マイクロイメージグリッド（２３）の前記マイクロスコーピック構造（２４）が重なった関係にある前記多層体の領域（３１〜３６）では、前記マイクロレンズ（２２）の前記焦点線の間隔によって決定される線間隔と、互いに隣接するマイクロレンズとマイクロスコーピック構造の、前記マイクロイメージの重心の間隔によって決定される、前記マイクロイメージ間隔と、が１０％以下だけ異なっており、
前記領域（３２）の第１副領域（３２１、３２３）及び、前記第１副領域に近く配置される、前記領域（３２）の第２領域（３２２）では、前記マイクロレンズの前記焦点線によって決定される前記線間隔及び／又は前記マイクロイメージの重心の間隔によって決定されるマイクロイメージ間隔は互いに異なり、
前記第１副領域（３２１、３２２）では、前記マイクロイメージ間隔と前記マイクロレンズ間隔の差は正であり、かつ、前記第２領域（３２２）では、前記差は負であることを特徴とする多層体（１、５）。
【請求項１４】
多層のマイクロレンズ（２２）が形成される透明な第１層（１４、５１）、及び前記第１層の下で該第１層に対して固定された位置に配置され、かつ、多層マイクロスコーピック構造（２４）を有する第２層（１３、５２）を具備する多層体（１、５）において、
前記マイクロレンズ（２２）は、前記マイクロレンズ（２２）の焦点線によって決定される座標軸Ｘ１と、該座標軸Ｘ１とは異なる座標軸Ｙ１と、を有する第１座標系に亘るマイクロレンズグリッド（２１）に従って配置された、長さが２ｍｍを越え且つ幅が４００μｍ未満の円柱レンズであり、
前記マイクロスコーピック構造（２４）は、変換機能に従って、長手方向軸線に対して横切る横方向軸線に沿って歪んだマイクロイメージの形態をして配置されており、
前記マイクロスコーピック構造（２４）は、座標軸Ｘ２と、該座標軸Ｘ２とは異なる座標軸Ｙ２と、を有する第２座標系に亘るマイクロイメージグリッド（２３）に従って配置されており、
前記マイクロレンズグリッド（２１）の前記マイクロレンズ（２２）及び前記マイクロイメージグリッド（２３）の前記マイクロスコーピック構造（２４）が重なった関係にある前記多層体の領域（３１〜３６）では、前記マイクロレンズ（２２）の前記焦点線の間隔によって決定される線間隔と、互いに隣接するマイクロレンズとマイクロスコーピック構造の、前記マイクロイメージの重心の間隔によって決定される、前記マイクロイメージ間隔と、が１０％以下だけ異なっており、 
前記領域（３５、３６）における前記マイクロイメージグリッドのマイクロイメージは、互いに異なり、且つ基本イメージの回転、及び／又は、寸法の増加又は減少、更には変換機能に従う歪みを含む基本イメージの幾何学的変換によって形成されるマイクロイメージによって形成されることを特徴とする多層体（１、５）。
【請求項１５】
請求項１、１３又は１４に記載された多層体（１、５）を製造する方法であって、
前記多層体を形成する第１層（１４，５１）および第２層（１３、５２）が熱及び圧力を用いて、前記第１層の頂面側に係合する工具（４１、４２、４３）によって共に積層され、
前記第１層（１４、５１）の頂面側では、マイクロレンズグリッド（２１）は、第１層（１４，５１）の表面内に押圧プレート（４３）によって成形されることを特徴とする方法。
【発明の詳細な説明】
【技術分野】
【０００１】
本発明は、多数のマイクロレンズが形成された透明な第１層と、第１層に対して固定位置にある該第１層の下に配置され、かつ多数のマイクロスコーピックな構造を有する第２層と、を具備する多層体、並びにこうした多層体を作るプロセスに関する。
【背景技術】
【０００２】
マイクロレンズ及び該マイクロレンズの下に配置されたマイクロイメージを具備する多層体は、例えば、紙幣又はクレジットカードのようなセキュリティドキュメント用セキュリティエレメントとして異なる態様で使用される。
【０００３】
従って、一方で、２次元アレイの等価で反復的なマイクロイメージの上に２次元アレイの球状マイクロレンズが配置された、セキュリティエレメントが知られている。こうした装置は、例えば、特許文献１に記載されている。セキュリティエレメントは、規則的な２次元マイクロレンズグリッドに従って配置された多数の等価な球状マイクロレンズを具備している。セキュリティエレメントは、規則的な２次元マイクロレンズグリッドに従って配置された多数の等価なプリントされたマイクロイメージを更に具備している。マイクロイメージグリッド及びマイクロレンズグリッドの周期は等価である。マイクロレンズグリッドに配置された球状マイクロレンズはマイクロイメージの複製を作り、この複製は点方向に拡大され、その結果、拡大されたマイクロイメージの全体表現は見る人に視認できるようになる。マイクロレンズによってそれぞれに表現された、それぞれのマイクロイメージのピクセルが見る角度に応じて変化するとき、マイクロイメージの拡大された表現に光学的に可変な印しすなわち型押し（Eindruck)を与える。
【０００４】
視覚に応じて視認し得る２つ以上の異なるマイクロイメージがマイクロレンズに関連付けられている、マイクロイメージ及びマイクロレンズの配置も知られている。例えば、特許文献２は、紙幣の通し番号を含む異なる事項の情報がレーザービームによって異なる方向に書き込まれるようなデータ担持体を記載している。データ担持体の記録層は、レーザービームの作用によって局所的に暗くされており、その結果、異なる方向に書き込まれた異なる事項の情報の各々に対して、関連付けられたマイクロイメージがレンズの各々の下に書き込まれる。従って、マイクロレンズの各々の下には異なる視野角で視認し得るようになる複数のマイクロイメージが形成されている。高情報密度（マイクロレンズ当たりの複数のマイクロイメージ）、及びマイクロイメージ／マイクロレンズ間の関連付けの登録精度に関する高需要によって、各セキュリティドキュメントに対して個々に、比較的大きな寸法のマイクロレンズを使用し、かつ、記録層へのマイクロレンズアレイの貼付後にのみ該記録層にマイクロイメージの記録を行うプロセスを有する方法が必要であり、結果的に製造コストに関する不利益に帰着する。
【先行技術文献】
【特許文献】
【０００５】
【特許文献１】米国特許第５，７１２，７３１号明細書
【特許文献２】独国特許出願公開第１０３５８７８４号明細書
【発明の概要】
【発明が解決しようとする課題】
【０００６】
従って、本発明の目的は、改良された多層体及びその製造のためのプロセスを提供することである。
【課題を解決するための手段】
【０００７】
この目的は、多層のマイクロレンズが形成される透明な第１層、及び第１層の下で第１層に対して固定された位置に配置され、かつ、多層マイクロスコーピック構造を有する第２層を具備する多層体において、前記マイクロレンズは、前記マイクロレンズの焦点線によって決定される座標軸Ｘ１と、該座標軸Ｘ１とは異なる座標軸Ｙ１と、を有する第１座標系に亘るマイクロレンズグリッドに従って配置された、長さが２ｍｍを越え且つ幅が４００μｍ未満の円柱レンズであり、前記マイクロスコーピック構造は、変換機能に従って、長手方向軸線に対して横切る横方向軸線に沿って歪んだマイクロイメージの形態をして配置されており、前記マイクロスコーピック構造は、座標軸Ｘ２と、該座標軸Ｘ２とは異なる座標軸Ｙ２と、を有する第２座標系に亘るマイクロイメージグリッドに従って配置されており、前記マイクロレンズグリッドの前記マイクロレンズ及び前記マイクロイメージグリッドの前記マイクロスコーピック構造が重なった関係にある前記多層体の領域では、前記マイクロレンズの前記焦点線の間隔によって決定される線間隔と、互いに隣接するマイクロレンズとマイクロスコーピック構造の、前記マイクロイメージの重心の間隔によって決定される、前記マイクロイメージ間隔と、が１０％以下だけ異なっており、前記座標軸Ｙ１と前記座標軸Ｙ２、並びに前記座標軸Ｘ１と前記座標軸Ｘ２は、それぞれ、前記領域において互いに平行な関係で配向され、隣接するマイクロレンズとマイクロスコーピック構造の前記線間隔及び前記マイクロイメージ間隔は前記領域において互いに対して異なっていることを特徴とする多層体によって達成される。
【０００８】
本発明による多層体は、見る人にとっては３次元的に見え、かつ、該多層体を傾斜する際に又は該多層体を視野を変えた方向から見たときに、容易に記憶される運動効果を呈する、光学的外観によって区別される。本発明による多層体は、かくして、光学的セキュリティ機構として使用することができる、印しすなわち型押し的な光学的可変効果を生成する。本発明による多層体の光学的に可変な印しすなわち型押しは、達成することができる運動効果に関して、非常に強い光及び設計上の自由度の高さによって、本願明細書の冒頭部分に言及され、かつ、２次元的な球レンズグリッドに基づくセキュリティエレメントによって生成される、光学的に可変な効果に関して区別される。加えて、従来のセキュリティエレメントと比較して、本発明による多層体は、製造誤差（角度誤差、焦点誤差）に関して顕著に高い寛容さを有し、これにより、製造が改善される一方、他方で、本発明による多層体は、見る人にそれら自体が与えるイメージが、繰り返して配置された等価なマイクロイメージの拡大された表現を意味するのみではなく、すなわち、マイクロイメージは、見る人に与えられた表現から直接的に生じるすなわち感じられるものではないため、従来のセキュリティエレメントと比較して、セキュリティ機構を複製することに関して厚い保護を提供する。むしろ、光学的効果の模倣は困難無しには可能でないように、イメージそれ自体が見る人に与えるイメージは、マイクロイメージのイメージとは顕著に異なる（マイクロスコーピックな構造の複製はマイクロレンズグリッドによって影響されずに可能ではないように、マイクロレンズ及びミクロスコーピックな構造は互いに対して固定された位置に配置される。）。
【０００９】
これらの利点は、情報の異なる事項がレーザーによって異なる方向に書き込まれる上述したセキュリティエレメントに関しても生じる：これらのセキュリティエレメントは、種々の視野角度によって生じる情報の事項を記録する、すなわち、情報のこれらの事項を未書き込みのカード本体に適切に書き込むことによって容易に模倣することもできる。
【００１０】
本発明は、こうして、光学的に容易に記憶され、模倣するには難しく、かつ、作るには高価なセキュリティエレメントを提供する。
【００１１】
本発明の目的は、多層体を作る方法であって、多数のマイクロスコーピックな構造を有する第２層が第３層に貼り付けられ、透明な第１層が前記第３層より上に配置され、これにより、前記第２層が前記第１層と前記第３層の間に配置され、前記第１層及び前記第３層のそれぞれが全ての側辺である側部上で前記第２層を越えて突出し、及び、前記多層体を構成する前記第１、第２及び第３層が、熱及び圧力を用いて、前記第１層の頂面側及び前記第３層の底面側に係合する工具によって一緒に積層され、前記第２層の頂面側では、レンズグリッドの負形が形成され、かつ、前記工具の一部である、押圧プレートによって前記第１層の表面内に形成される方法によって更に達成される。製造プロセスによって、本発明による多層体は特に安価につくることができ、ここに、結果として得られる多層体は周囲の影響に対する抵抗に関して特に良好な特性を有し、かつ、手操作、特にPCの使用に関して手操作から極めて高いレベルの保護を保証する。
【００１２】
本発明の有利な展開は添付の特許請求の範囲の各請求項に記載されている。
【００１３】
前記座標軸Ｙ１と前記座標軸Ｙ２、並びに前記座標軸Ｘ１と前記座標軸Ｘ２は、それぞれ、前記領域において互いに平行な関係で配向され、隣接するマイクロレンズとマイクロスコーピックな構造の前記線間隔及び前記マイクロイメージ間隔は前記領域において互いに対して異なる。この点において、“互いに平行な関係”との記載は、製造公差の限界内で複数の座標軸の平行状配置を示すのに使用される。隣接するマイクロレンズ及びマイクロスコーピックな構造の異なる線間隔及びマイクロイメージ間隔によって、座標軸Ｙ１と座標軸Ｙ２、並びに座標軸Ｘ１と座標軸Ｘ２は、それぞれ、５°までの角度、好ましくは１°までの角度を含む。隣接するマイクロレンズ及びマイクロスコーピックな構造の線間隔及びマイクロイメージ間隔が互いに異ならない場合、座標軸Ｙ１と座標軸Ｙ２、並びに座標軸Ｘ１と座標軸Ｘ２は、領域に０．００１°〜３°までの角度を含むのが好ましい。多層体の光学的印しすなわち型押しはこれらの条件を受諾することによって改善されることが判明した。
【００１４】
本発明の好ましい実施形態に従えば、円柱レンズは４００μｍ未満の幅、好ましくは、１５０μｍ〜３０μｍの幅、を有している。好ましくは、円柱レンズは２ｍｍ〜１００ｍｍの間にあるように選択される。前記円柱レンズは２μｍ〜１００μｍの構造深さ、好ましくは、１５μｍ〜４０μｍの構造深さ、を有している。これらのパラメータが円柱レンズに対して選択されるとき、多層体の光学的印しすなわち型押しは改善され、多層体は特に薄くすることができ、これにより、多層体は、例えば、紙幣のような融通のきくセキュリティドキュメント、認証又は証明ドキュメント、あるいは、製品安全装置として使用するにも特に上手く適合している。
【００１５】
マイクロレンズは回折マイクロレンズの形態をしていることが好ましい。しかしながら、これらのマイクロレンズを回折マイクロレンズの形態にすることも可能である。既に上述したように、マイクロレンズは円柱レンズであり；特に、合焦機能を有し、かつ、焦点としての焦点線を有するレンズである。この点に関して、これらのレンズは球レンズ機能のみならず、非球面多角形レンズ機能もまた有することができる。回折マイクロレンズの形態のときには、円柱レンズ全体を通じて該円柱レンズの長手方向軸線に直角な断面は、例えば、円弧部分の形態をした部分的に凸状である少なくとも外部輪郭を有する。しかしながら、この凸状の外部輪郭を、台形の形態又は平らな円弧部分の形態をした三角形にすることも可能である。
【００１６】
凸状に形成された円柱レンズをここで使用することも可能である。円柱レンズの領域の上に印刷物を設けるか又は領域方向の態様で金属化部を設けることも可能である。この印刷物又は金属化部は、コントラストを増大させるか又は、例えば、ロゴ又はテキストのような情報を全体的に呈示されるべき光学的に可変なイメージの領域に加えるために使用することもできる。
【００１７】
マイクロレンズグリッドのグリッド間隔は、それぞれのマイクロレンズの幅と、０μｍ〜該マイクロレンズの構造深さの２０％の間の付加的間隔と、の総和に相当することが望ましいことが判明している。
【００１８】
本発明の好ましい実施形態では、１次元グリッドがマイクロレンズグリッドとして選択され、ここで、マイクロレンズグリッドのマイクロレンズのグリッド間隔は領域において一定である。この場合、以下に説明するように、グリッド間隔の変動及びマイクロイメージグリッドのマイクロイメージの配向によって、領域において異なる運動効果が実施されることが好ましい。このように、マイクロレンズグリッドを形成するための工具を生産するコストを上げないことができ、かつ、１つ且つ同一のマイクロレンズグリッドを異なる光学的印しすなわち型押しを与えることができる異なる多層体のために使用することができるため、異なる光学的印しすなわち型押しで多層体を安価に作ることが可能である。しかしながら、上に特定した条件に遭遇する限りは領域におけるマイクロレンズグリッドのマイクロレンズのグリッド間隔を一定に選択することも可能である。このように、興味深く且つ魅惑的な運動効果を生成することができ、かつ、セキュリティエレメントの光学的印しすなわち型押しの模倣をより難しくすることもできる。従って、例えば、マイクロレンズグリッドのマイクロレンズのグリッド間隔を着実に変化させることによって、あるいは、マイクロレンズグリッドのマイクロレンズのグリッド間隔を周期的に変化させることによって、興味深い光学的効果を達成することは可能である。この場合、これからより詳細に記載するように、隣接するマイクロイメージ及びマイクロレンズのマイクロイメージ間隔及びマイクロレンズ間隔は互いに影響を及ぼし合う。
【００１９】
好ましくは、マイクロイメージは４００μｍ未満の幅と、該マイクロイメージの配向における長手方向軸線によって決定され、かつ、２ｍｍを超える長さと、を有している。好ましくは、この場合、マイクロイメージの（１次元的な）歪の方向を特定するマイクロイメージの横方向軸線がマイクロレンズの焦点線に対して横切るように、すなわち、長手方向軸線に対して直角な焦点線上の各点であるように、マイクロイメージの長手方向軸線は座標軸Ｘ１に平行に配置されている。
【００２０】
好ましくは、マイクロスコーピックな構造は、変換機能に従った長手方向軸線に関して横方向軸線に沿って歪んだ等価なマイクロイメージの形態をしている。さらにまた、マイクロスコーピックな構造を、変換機能に従って、全てのマイクロスコーピックな構造に対して等価な基本イメージの歪から生じるマイクロイメージの形態、すなわち、基本イメージが変換機能に従って長手方向軸線に関して横方向の軸線に沿って歪んだマイクロイメージの形態とすることも可能である。加えて、等価な基本イメージを異なる領域において異なる変換機能によって異なるように歪ませることも可能である。
【００２１】
好ましくは、長手方向軸線に関して横方向軸線に沿ったマイクロイメージの歪を定義する、使用される変換機能は、その長手方向軸線に関してマイクロイメージの横方向軸線を直線的に圧縮する変換機能であり、１０倍を超えることが好ましい。（長手方向軸線に直角な）横方向軸線との用語は、長手方向軸線上のそれぞれの点を通る該長手方向軸線に対して直角である軸線を示すために使用される。長手方向軸線がこのように幾何学的に変形される場合、長手方向軸線は、従って、例えば、環状線形状からなり、横方向軸線は、従って、対応する幾何学的形状をしている。
【００２２】
座標ｘ１及びｙ１によって定義されたマイクロイメージは、こうして、例えば、歪んだマイクロイメージの座標ｘ２及びｙ２上で以下のように作り出される。
ｙ２=Δ・s・ｙ１
ｘ２=Δ・ｘ１ 
ここで、据込圧縮ファクターは１０より大きい。
【００２３】
この場合、横方向軸線に沿ったマイクロイメージの範囲がマイクロイメージ間隔より大きな領域にないように、値Δは好ましくは選択される。
【００２４】
座標軸Ｘ２はマイクロイメージの長手方向軸線によって決定されることが好ましい。しかしながら、マイクロイメージの歪の長手方向軸線が座標軸Ｘ２と一致しないようにすることも可能であるが、結果として得られる光学的外観の幾何学的形状に応じるようにすることも可能である。
【００２５】
本発明の好ましい実施形態に従えば、マイクロイメージグリッドは座標軸Ｘ２の方向に引き続いて配置された２つ以上のマイクロスコーピックな構造を有する２次元マイクロイメージグリッドによって構成される。このように、１次元マイクロレンズグリッドは２次元マイクロイメージグリッドと組み合わされることが好ましい。これは、多数の単純な運動効果を生成することを可能にする。
【００２６】
従って、例えば、領域におけるマイクロイメージのグリッド間隔は、それぞれ、座標軸Ｙ２と座標軸Ｘ２の方向に一定であるように選択される。このように、単位運動効果をこの領域で生成することが可能であり、ここで、運動効果の方向は座標軸Ｘ２の方向において互いに隣接した関係で配置されたマイクロイメージの変位の選択によって影響を受け得る。多層体が傾斜するとき、多層体によって提示された光学的表現は一方向に移動するように見え、ここで、傾斜軸に対する運動軸の角度が座標軸Ｘ２の方向において互いに隣接した関係で配置されたマイクロイメージの変位によって決定される。この変位が座標軸Ｘ２に関して一定であるように選択される場合、光学的表現は直線に沿って運動して傾斜運動するように見える。この変位が座標軸Ｘ２に関して一定であるように選択されない場合、例えば、環状線の形態をした非線形運動パターンを作り出すことも可能である。
【００２７】
領域におけるマイクロイメージのグリッド間隔を、座標軸Ｙ２の方向に一定にすることも可能であり、座標軸Ｘ２の方向におけるマイクロイメージのグリッド間隔を関数Ｆ（ｘ、ｙ）に従って、座標軸Ｙ２によって決定された座標ｙ及び／又は座標軸Ｘ２によって決定された座標ｘに応じて変動させることも可能である。このように、多層体の傾斜に際して、０°〜１８０°の角度であると仮定した異なる方向に光学的表現が移動する運動効果を実施することが可能である。
【００２８】
視覚的に同一であり、かつ、運動に関して異なる反対方向に移動するイメージを作るために、第１の類似したマイクロイメージが第１副領域に設けられ、これらのマイクロイメージは、マイクロレンズ間隔より小さい、互いに対してマイクロイメージ間隔で配置される。領域の第２副領域に配置されるのはマイクロレンズ間隔より大きなマイクロイメージ間隔で該マイクロイメージの長手方向軸線における第１マイクロイメージに関して鏡像を映し出す第２類似マイクロイメージである。
【００２９】
本発明の更に好ましい実施形態では、第１副領域、及び、領域の第１副領域の近傍に配置される第２領域では、円柱レンズの焦点線によって決定されたレンズ間隔及び／又はマイクロイメージの重心の間隔によって決定されたマイクロイメージ間隔は互いに異なるように選択される。これは、隣接する表現が異なる速度又は傾斜された際に異なる方向に移動することを提供する。もし、このとき、マイクロイメージ間隔及びマイクロレンズ間隔の差異が第１領域で正であり且つ第２領域で負であるように選択されると、これらの表現はそれから反対方向に移動する。
【００３０】
その結果、同じ視覚的に知覚できるイメージが見る人にとって第１領域及び第２領域において反対方向に移動すると（間隔の正／負の差異によって生じる）、そのときは、−既に上述したように−、マイクロイメージの長手方向軸線の回りに互いに対して鏡像を映し出すマイクロイメージが第１及び第２副領域に設けられる。
【００３１】
領域の第１副領域と、該第１副領域の近傍に配置された、領域の第２副領域と、においては、それぞれのマイクロイメージグリッド及び／又はマイクロレンズグリッドは、座標軸Ｙ１及びＹ２のそれぞれに関して互いに対する位相変位を有しており、座標軸Ｙ１及びＹ２及び／又はＸ１及びＸ２は、それぞれ、異なる角度を含んでおり及び／又は円柱レンズは異なる焦点距離を有しているという点で達成することができる（しかしながら、ここで、マイクロイメージをマイクロレンズの焦点平面に配置することがなお必要である）。このように、物体が互いに顕著に異なり、かつ、従って、極めて顕著な光学的印しすなわち型押しを与えるように、隣接する領域では多層体によって現された物体の運動方向及び運動速度に影響を与えることが可能である。２つ以上の第１及び第２副領域が一つおきに互いに隣接する関係で配置される場合、この印しすなわち型押しは更に補強することができる。
【００３２】
上述した実施形態では、それぞれの第１副領域及び／又はそれぞれの第２副領域におけるマイクロイメージグリッドのマイクロイメージは、それぞれに等価なマイクロイメージであることが好ましい。さらに、しかしながら、例えば、移動する物体の寸法の変化を許容するために又は多層体の傾斜に際して移動する物体の回転又は半径方向運動を許容するために、マイクロイメージグリッドのマイクロイメージを領域において互いに異ならせることも可能である。
【００３３】
本発明の好ましい実施形態では、領域におけるマイクロイメージグリッドのマイクロイメージは、基本イメージであって、変換機能に従って、該基本イメージの回転、及び／又は、寸法の増加又は減少、及び引き続く歪みを含んでいる、前記基本イメージの幾何学的変換によって形成されるマイクロイメージによってそのように構成される。このように、上述した基本イメージによって定義される物体の複雑な運動パターンを円柱マイクロレンズの長手方向軸線に対して横方向に多層体を傾斜する際に作り出すことが可能である。
【００３４】
さらに、マイクロレンズグリッドのマイクロレンズを領域方向の態様で異なる焦点距離を有するようにすることも可能である。従って、第１焦点距離を有するマイクロレンズはマイクロレンズグリッドの第１領域に配置され、第１焦点距離とは異なる第２焦点距離を有するマイクロレンズはマイクロレンズグリッドの第２領域に配置される。マイクロレンズグリッドの第１領域と関連するマイクロスコーピックな構造はこの場合多層体の第１平面に配置され、第２領域と関連するマイクロスコーピック構造は多層体の第２平面に配置され、ここで、多層体の第１平面及び多層体の第２平面は第１領域及び第２領域それぞれにあるマイクロレンズのそれぞれの焦点距離によって決定される（マイクロレンズとマイクロスコーピックな構造の間隔はそれぞれの焦点距離に略対応する）、すなわち、第１領域及び第２領域のマイクロスコーピックな構造は多層体の異なる平面に配置される。
【００３５】
第１座標系に亘る座標軸Ｘ１及びＹ１は互いに直角の関係で配向されるのが好ましい。
しかしながら、これらの座標軸が０°〜１８０°まで異なる別の角度を含むようにすることも可能である。この点に関して、座標軸の直角配向に対する基準は、座標軸が、例えば、幾何学的に変換された円筒座標軸Ｘ１を有する、幾何学的に変換された座標系である場合でさえ、何れの点においても互いに直角であるということを意味している。
【００３６】
第１及び／又は第２座標系が円形状の又は環状線形状の座標軸を有する座標系によって形成される場合には更に興味深い作用効果を達成することができる。従って、例えば、座標軸Ｘ１を決定する円筒レンズの焦点線は多数の共心な関係にある円又は多数の等距離に配置された環状線形状の形態をしており、座標軸Ｘ１及びＸ２は対応する幾何学的に変換された直線によって構成される。
【００３７】
これは、多層体が傾斜したときに、例えば、物体の円運動を許容する更なる自由度を与える。これらの効果は、領域が、対応して小さいものとして選択される副領域に分解されるにつれてこれまでに述べた記載から導出し得る。パラメータは所望の運動パターンに従ってそれぞれの領域においてこれまでに示してきたように選択される。
【００３８】
本発明の好ましい実施形態では、第２層は部分的金属層である部分的ＨＲＩ層（ＨＲＩ＝高屈折率）を有し、マイクロスコーピックな構造は金属層であるＨＲＩ層が設けられている第２層の領域、あるいは、金属層であるＨＲＩ層が設けられていない第２層の領域によって形成される。これは、セキュリティエレメントが暗い状況下でさえ明瞭に視認し得るように、特に高コントラストの光学的印しすなわち型押しを与える。
【００３９】
部分的金属層又は部分的ＨＲＩ層によって覆われていない多層体の領域では、多層体は透明又は少なくとも半透明であることが好ましく、その結果、多層体が視認される背景に応じて（例えば、多層体が積層される基板の光学的特性のような）、あるいは、透照法視認モードにおいて、対応した異なる光学的印しすなわち型押しを与える。さらに、多層体が全領域で金属層を具備するようにすることも可能であり、マイクロスコーピックな構造が着色領域又は該着色領域と関連する特殊回折構造によって形成するようにすることも可能である。
【００４０】
この点において、ＨＲＩ層は、例えば、薄いゲルマニウム層又はシリコン層からなる着色されたＨＲＩ層を伴い得る。
【００４１】
好ましくは、第２層は内部に回折構造を形成した複製ラッカー層を具備しており、ここに、特に、２つ以上の異なる回折構造が形成されている。本発明の好ましい実施形態では、異なる回折構造が金属層又はＨＲＩ層を設けた領域の第２層、及び、該第２層の金属層又はＨＲＩ層を設けていない領域に形成される。さらに、マイクロスコーピックな構造の領域では、マイクロスコーピックな構造に関連する第１表面レリーフが第２層に形成され、これが周囲の表面レリーフから第２層を区別する。このように、セキュリティ機構の認証性を更に改良することが可能であり、さらにまた、セキュリティ機構を更なるセキュリティ機構と組み合わせることが可能であり、従って、例えば、運動の経路に沿った物体の色の変化を達成することを可能にする。例えば、回折構造、つや消し構造、マクロ構造、非対称構造又は零次の回折構造は表面レリーフとして選択することができる。第１及び／又は第２表面レリーフは、こうして、線形格子構造、交差格子構造、レンズ状構造、非対称格子構造、零次格子構造、あるいは、これら構造の組合せを特に含む群から選択される。さらに、マイクロスコーピックな構造の領域に、見る角度によって色が替わるものを作るための薄膜層系、架橋結合及び配向されたコレスティックな水晶材料又は光学的に可変な印刷材料による印刷物が設けられる限りにおいては、マイクロスコーピックな構造を光学的に可変なマイクロスコーピックな構造の形態とすることも可能である。
【００４２】
さらに、第２層が着色され及び透明な領域又は異なる色及び透明性を具備するようにすることも可能であり、マイクロスコーピックな構造を着色された領域、例えば、表面に着色された印刷物、あるいは透明な領域によって形成することも可能である。
【００４３】
さらに、円筒レンズ及びマイクロスコーピックな構造によって作り出された光学的効果を、例えば、ホログラム又はキネグラム（登録商標）を具備する更なるセキュリティ機構と組み合わせることも可能である。これらの更なるセキュリティ機構は、例えば、本発明の多層体に従って構成された領域の近傍に配置し得るか、あるいはこの領域と重なった関係に配置もし得る。好ましくは、これらの更なるセキュリティエレメントはマイクロレンズ／マイクロスコーピックな構造によって構成されたセキュリティエレメントに対する補足的な表示物を構成する。
【００４４】
円筒レンズ及び更なるセキュリティ機構を与える回折構造を格子ラスターの形態で互いに入れ子式な関係に配置することも可能である。その結果、これらの要素によって生成された表示は重なった関係になる。
【００４５】
さらに、多層体を、各々が、多数のマイクロスコーピックな構造を有するそれぞれの第２層の形態をした２つ以上の層を具備するようにすることも可能である。従って、第１層のマイクロスコーピックな構造を、例えば、キネグラム（登録商標）のような回折構造で覆われている部分的金属層によって構成することも、例えば、可能であり、第２層のマイクロスコーピックな構造を、マイクロレンズの側から見た、金属層又は複製ラッカーの後側に印刷された着色印刷によって構成することも可能である。従って、例えば、多層体を傾斜する際に、第１層は、色の回折相互作用で見られ、かつ、斜めに移動する星を呈示する。さらに、−円筒レンズと組み合わせて生じた−、例えば、白及び赤の印刷部は、多層体が傾斜するときに上下に移動する視認し得る白及び赤の星を視認させる。
【００４６】
本発明を、添付の図面を参照して幾つかの実施形態を一例として以下に説明する。
【図面の簡単な説明】
【００４７】
【図１】本発明による多層体の線図的断面図である。
【図２】本発明による多層体の第１層の線図的平面図である。
【図３】本発明による多層体の第２層の線図的平面図である。
【図４】本発明の実施形態のための多層体を示す図である。
【図５】本発明の更なる実施形態のための多層体を示す図である。
【図６】本発明の更なる実施形態のための多層体を示す図である。
【図７】本発明の更なる実施形態のための多層体を示す図である。
【図８】本発明の更なる実施形態のための多層体を示す図である。
【図９】本発明の更なる実施形態のための多層体を示す図である。
【図１０】本発明の更なる実施形態のための本発明による多層体の第２層の線図的平面図である。
【図１１】本発明による多層体を作るプロセスを説明するための線図的断面図である。
【発明を実施するための形態】
【００４８】
図１は担持層１０と、該担持層１０に貼付されたフィルム体である薄膜体１１と、を備える多層体１を示している。担持層１０は紙材料からなる担持層であることが好ましい。従って、例えば、多層体１は紙幣であって、担持層１０が紙幣の紙基板によって形成され、薄膜体１１が積層フィルム又は転送フィルムの転送層部分、特に、紙幣の担持基板に安全要素としてのパッチ又はストリップの形態をなして貼付された、特にホットエンボッシング−エンボフィルム、によって形成されている。この点で、薄膜体１１を紙幣の透明ウィンドウの領域に配置することもできる。紙幣の担持基板は透明であるか又はプレス加工又は透かしによって部分的に除去されている。更に、薄膜体１１を安全要素の形態で何れか他の担持体、基板、例えば、プラスチック製担持体に貼付することもできる。
【００４９】
薄膜体１１は、２つの層１３及び１４と、接着層１２と、を具備している。層１３はマイクロイメージ層であって、このマイクロイメージ層は、多層構成ともし得るものであり、かつ、マイクロスコーピックな構造がマイクロイメージの形態で設けられているマイクロイメージ層である。層１４は、スペーサー層１５と、マイクロレンズ層１６と、によって形成されている。マイクロレンズ層１６は、２ｍｍ〜１００ｍｍの長さ、１０μｍ〜４００μｍの幅、及び２μｍ〜１００μｍの構造深さの円筒レンズの形態をした多層のマイクロレンズを具備している。スペーサー層１２は、マイクロレンズ層１６のマイクロレンズの焦点距離に略（±１０％）相当する厚さｄからなる。マイクロレンズ層１６と、スペーサー層１５と、は、同一材料から形成されるか又は少なくとも同一屈折率を有することが好ましい。マイクロレンズ層１６は、例えば、凹刻印刷によって、スペーサー層１５に貼付し得る。マイクロレンズ層１６は、しかしながら、例えば、ホットエンボッシングによって、スペーサー層１５にも形成し得る。
【００５０】
加えて、層１５及び１３の間、及び層１３及び１２の間に１つ以上の更なる層を設けることができる。
【００５１】
図２は、ここでは、層１４の実施可能な実施形態を示している。層１４は、座標軸Ｘ１及びこれに直角な座標軸Ｙ１を有する第１座標系に亘るマイクロレンズグリッドの形態をして配置された多数のマイクロレンズ２２を具備している。図２から分かるように、座標軸Ｘ１は、円筒レンズの焦点線によって決定され、かつ、従って、座標系を確立する。図２は、マイクロレンズグリッド２１の２次元形状を例にして示しており、すなわち、２つ以上のマイクロレンズ２２は座標軸Ｙ１の方向に連続するだけではなく、座標軸Ｘ１の方向にも連続して配置されている。図２に示すように、２つの隣接するレンズ２２は、円筒レンズの焦点線の間隔によって決定される。加えて、レンズ２２はレンズ幅２６からなる。本件では、マイクロレンズの間隔２５はマイクロレンズ２２の幅２６と、０μｍ〜マイクロレンズの幅２６の２０％の付加的な間隔と、の総和に対応する。図２に示すように、隣接するマイクロレンズ２２のレンズ間隔２５によって決定される、マイクロレンズグリッドのグリッド間隔２５は領域２８及び２９において一定であるように選択されている。しかしながら、既に上述したように、マイクロレンズアレイのグリッド間隔を座標軸Ｘ１の方向と、座標軸Ｙ１の方向と、の両方において可変させ、マイクロレンズグリッド２１の異なるコラム又はマイクロレンズ２２の焦点線に関する位相変位を含むように異なるように選択することもできる。
【００５２】
図２における表現は、本件では、本発明の変更形態の幅を示すためのみに示されている。既に上述したように、１次元マイクロレンズグリッドがマイクロレンズグリッド２１として使用される。ここで、２つ以上のマイクロレンズ２２は座標軸Ｙ１の方向に引き続いて配置されているのみであり、従って、マイクロレンズアレイはマイクロレンズ２２のコラムから形成されるのみである。
【００５３】
ここで、図３はマイクロイメージ層の構造を示している。マイクロレンズ層１３に設けられているのは、変換機能に従って長手方向軸線に関して横方向軸線に沿って歪み、かつ、マイクロイメージグリッド２３に従って配置された、図３に示すような、マイクロイメージの形態をした多くのマイクロスコーピックな構造２４である。
【００５４】
視覚的に知覚できる寸法に関して、本ケースのマイクロイメージは該マイクロイメージの長手方向軸線に対して直角に据込み鍛造により太くされており、従って、座標軸Ｙ２に沿って圧縮されている。この点に関して圧縮逆転はマイクロレンズの長手方向軸線に垂直であることが重要である。すなわち、シリンドリカルマイクロレンズ、従って、座標軸Ｘ１の焦点に垂直である。
【００５５】
座標軸Ｘ１及び該座標軸Ｘ１に直角な座標軸Ｙ２を有する第２座標系がマイクロイメージグリッドによって定義されている。図３の実施形態では、マイクロイメージが変換機能に従って歪む長手方向軸線は座標軸Ｘ２に一致し、従って、座標軸Ｘ２を決定する。しかしながら、これは、本発明の全ての実施形態において要求されていない。
【００５６】
図３から分かるように、マイクロイメージは変換機能によって該マイクロイメージの長手方向軸線に関して横方向軸線に沿って据込み鍛造によりとても太くされており、かつ、マイクロイメージの横方向軸線に対して３倍〜５００倍の間で圧縮されて据込み鍛造により太くされているのが好ましい。本件で既に上述したように、長手方向軸線は座標軸Ｘ２に対応し、かつ、横方向軸線は座標軸Ｙ２に対応するのが好ましい。本発明によるプロセスのために使用されるマイクロイメージは、このように、極めて並はずれた形状をしており、かつ、従って、４００μｍ未満の幅と、２ｍｍを超える長さと、を含むのが好ましく、長さと幅の比が５：１〜１０００：１までを有することが好ましい。
【００５７】
隣接するマイクロスコーピックな構造２４間のマイクロイメージ間隔２７は、図３に示すように、マイクロスコーピックな構造２４が形成されることに従って、マイクロイメージの重心の間隔によって決定される。図３の実施形態では、マイクロイメージグリッド２３は、マイクロイメージ間隔２７によって決定された一定のグリッド間隔を有する１次元マイクロイメージグリッドによって形成される。仮に、この領域において、円筒状レンズの焦点線の間隔によって決定されたレンズ間隔２５と、互いに対してマイクロイメージの重心の間隔によって決定されたマイクロイメージ間隔２７と、が１０％以下だけ異なり、かつ、好ましくは異なるか、あるいは、座標系Ｘ１及びＸ２と座標系Ｙ１及びＹ２のそれぞれは互いに対して−５°〜＋５°の角度を想定するとしても、多層体の領域における単純な運動効果は、層１４のマイクロレンズグリッド２１との組合せによって、既にこの単純な配置によって達成し得る。
【００５８】
しかしながら、マイクロイメージグリッド２３は、図４〜図９を参照して以降に記載するように、座標軸Ｘ２の方向に引き続いて配置された２つ以上のマイクロスコーピックな構造を具備する２次元マイクロイメージの形態をしていることが好ましい。
【００５９】
層１３のマイクロスコーピックな構造２４の形状に関して、例えば、以下のような選択枝がある。好ましくは、層１３は、マイクロイメージの形態をなして構成され、かつ、従って、マイクロスコーピックな構造２４を提供する薄い金属層又は絶縁体反射層を具備する。従って、層１３はマイクロイメージの負形態で非金属化された厚さ５０ｎｍの金属層からなり、これにより、マイクロスコーピックな構造２４はマイクロイメージの負形態で非金属化された領域によって包囲された金属ミラー領域によって形成される。
【００６０】
逆のケースも可能である。
【００６１】
さらに、層１３は、例えば、ＵＶ複製又はホットエンボッシングによって表面レリーフが形成された複製ラッカー層も有し得る。従って、層１３が金属化及び非金属化された回折領域を具備することも可能であり、ここで、金属化及び非金属化された領域はマイクロイメージの形態に形成され、従って、マイクロスコーピックな構造を構成する。ＨＲＩ層は、好ましくは、例えば、硫化亜鉛、ケイ酸、ゲルマニウム又はシリコンから成る層は絶縁反射層として使用される。例えば、アルミニウム、銅、金、銀又はクロムから成る層は金属反射層として使用される。
【００６２】
層１３は、異なる表面レリーフが形成される領域も有し得る。ここで、第１表面レリーフはマイクロスコーピックな構造に関連付けられ、かつ、第２表面レリーフはマイクロスコーピックな構造のための背景を構成する。好ましくは、この場合の異なる表面レリーフは全領域に亘ってＨＲＩ又は金属層で被覆されており、マイクロイメージ及び背景の形態に形成されるマイクロスコーピックな構造の作用は表面レリーフの選択によって単独で決定される。好ましくは、この場合の異なる表面レリーフは全領域に亘ってＨＲＩ又は金属層で被覆されており、マイクロイメージ及び背景の形態に形成されるマイクロスコーピックな構造の作用は表面レリーフの選択によって単独で決定される。しかしながら、層１３が、着色され且つ透明な、あるいは異なる態様で着色されるか及び／又は透明な領域を備えることも可能である。
【００６３】
図４は多層体１の可能な実施形態の領域３１を示している。領域３１の全表面領域に亘って設けられているのは１次元マイクロレンズグリッドであり、ここで、マイクロレンズグリッドのマイクロレンズは１００μｍの一定のマイクロレンズ間隔を置いて配置されておりマイクロレンズは９０μｍの幅をしており、中間スペースは１０μｍであり（かつ、従って、上述した１００μｍのグリッドを与え）、及び６０ｍｍの長さをしている。１次元マイクロレンズグリッドが２次元マイクロイメージグリッドと重なった関係にある領域３１には、約２０ｍｍの長さを有し、約９８μｍの幅を有する、３つのコラムに配置された、多層体マイクロイメージがある。このケースでは、マイクロイメージのグリッド間隔は領域３１において一定である。マイクロイメージは等価なマイクロイメージを伴い、該マイクロイメージの長手方向軸線は約５０倍だけ伸張されている。すなわち、横方向軸線は５０倍だけ長手方向軸線に対して据込み鍛造により太くされている。円柱レンズの焦点の間隔によって決定された、マイクロレンズグリッドのグリッド間隔と、マイクロイメージの重心の間隔によって決定された、マイクロイメージグリッドのグリッド間隔と、は、この場合、２％だけ互いに対して異なる。この場合、マイクロレンズのグリッド間隔と、マイクロイメージグリッドのグリッド間隔と、の間の差異は、据込み鍛造により太くされたファクターに従って選択されることが好ましい。この場合、マイクロレンズグリッド及びマイクロイメージグリッドのグリッド間隔の差異によって分割されたマイクロレンズグリッドのグリッド間隔が据込み鍛造により太くされたファクターｓに対応するように、グリッド間隔間の差異が選択されることが好ましい。
【００６４】
この場合、座標軸線Ｘ１とＹ１、及びＸ２とＹ２のそれぞれは、５°未満の角度をそれぞれ含んでいる。多層体が傾斜するとき、図４に示されている運動効果が領域３１に生じる、すなわち、テキスト“ＶＡＬＩＤ”との文字が３次元で出現するとき、図４で示された矢印の方向に運動して移動するように見える。
【００６５】
図５は、多層体３２の更なる実施形態の領域３２の光学的外観を示している。
【００６６】
多層体１は領域３１におけるように、領域３２の互いに隣接した副領域３２１、３２２及び３２３において、互いに対する線間隔及び／又はマイクロイメージ間隔が異なる状態で領域３２に作られている。領域３２１及び３２３では、マイクロイメージ間隔及びマイクロレンズ間隔の差異は正である一方で領域３２２における差異は負である。領域３２１及び３２３では、マイクロイメージ間隔はマイクロレンズ間隔の１０５％であり、領域３２２では、マイクロイメージ間隔はマイクロレンズ間隔の９５％である。その結果、多層体１が傾斜するとき、テキスト“ＶＡＬＩＤ”の３次元的描写は、領域３２１及び３２３に関して異なる方向に、図５に示す矢印によって示されているように移動するように見える、すなわち、多層体が傾斜するとき、これらの領域は互いに反対方向に上下移動するように見える。
【００６７】
図６は多層体１の更なる実施形態の領域３３の光学的外観を示している。多層体１は、領域３３において、領域３３の互いに隣接した副領域３３１〜３３４において、それぞれのマイクロイメージグリッド及び／又はそれぞれのマイクロレンズグリッドが座標軸線Ｙ１及びＹ２のそれぞれに関して位相変位を有しているという点で領域３１とは異なっている。この場合、運動の方向は位相変位の大きさによって設定される。多層体１が傾斜するとき、この傾斜はそれ故に図６に示されているように、テキスト“ＶＡＬＩＤ”の運動パターンを与える。
【００６８】
図７は多層体１の更なる実施形態の領域３４の光学的外観を示している。多層体１は、領域３４において、−マイクロイメージの位相変位の近傍で−互いに隣接する副領域３４１〜３４４において、加えて、−図５の実施形態において−領域３４の副領域３４１〜３４４において、マイクロイメージ間隔及びマイクロレンズ間隔が互いに異なるという点で領域３３におけるものと異なる。これは、多層体が傾斜したとき、図７における矢印で示されるようにテキスト“ＶＡＬＩＤ”が反対の関係で移動する図７に示された光学的外観を与える。
【００６９】
図８は多層体１の更なる実施形態の領域３５における光学的外観を示している。多層体１は、領域３５において、多くの点で領域３１とは異なっている：従って、マイクロイメージグリッドはもはや等価なマイクロイメージから構成されていない。代わりに、領域３５のマイクロイメージは基本イメージの幾何学的な変換によって形成されるマイクロイメージによって形成される。この基本イメージは該基本イメージの回転及び／又は寸法の増加又は減少、及び変換機能に従った引き続く歪みを含んでいる。マイクロイメージのグリッド間隔は座標軸Ｙ２の方向における領域３５で一定であるが、座標軸Ｘ２の方向におけるマイクロイメージのグリッド間隔は、座標ｘ、ｙに応じて、より詳しくは、グリッド間隔は領域３５の中央点からの間隔に応じて座標軸Ｘ２の方向に増加するように、変動される。マイクロイメージグリッドのそれぞれの位置のために使用されるイメージは、多層体１が傾斜して、矢印で示されたように、図８に示された運動効果が現れる、すなわち、複数のテキスト“ＯＶＤ”が外向きに移動するように、図８に示された視図に従って上述した一組のマイクロイメージから選択される。この点において、それぞれに使用される、基本イメージの幾何学的変換に応じて、テキスト“ＯＶＤ”を運動中に増加／減少させることもまた可能である。
【００７０】
図９は多層体１の更なる実施形態の領域３６における光学的外観を示している。多層体１の領域３６は、さらに−図５に関して既に示したように−座標軸Ｙ２の方向におけるマイクロイメージのグリッド間隔が複数の副領域において異なるように選択され、多層体１が傾斜したときに、副領域におけるテキスト“ＯＶＤ”が領域３６の中央点の方向において移動する一方で、領域３６の他の副領域において、多層体１が傾斜したときに、テキスト“ＯＶＤ”が、図９の矢印によって示されるように、外向きに移動する、という点で領域３５とは異なる。
【００７１】
図１０は領域３７のマイクロイメージ層の更なる可能な実施形態を示している。この場合、マイクロイメージグリッドのマイクロイメージは領域において互いに対して異なり、かつ、加えて、多層体が傾斜したときに、同時に寸法の変化を伴う半径方向外向きの運動を起こして、座標軸Ｘ２に関して異なるマイクロイメージ間隔で配置されている（見る人のためのイメージの印しすなわち型押しのため、ここでは、単語は“ＯＫ”である）。座標軸Ｘ２の方向におけるマイクロイメージのグリッド間隔が領域３７の中心点からの間隔に応じて増加するように、座標軸Ｘ２の方向におけるマイクロイメージのグリッド間隔又はグリッド幅は座標ｘ、ｙに応じて変化する。この場合には、マイクロイメージにおけるそれぞれの位置のために使用される複数のイメージは、それぞれ、文字“Ｏ”及び“Ｋ”の表現を発生させ、これらの文字の寸法は変換機能に従って領域３７の中心点に対する間隔に応じて増加すると共に、その後、半径方向に変動する据込み鍛造により太くされるファクターによって長手方向軸線に関して横方向のマイクロレンズの焦点線によって定義された長手方向軸線に関して圧縮されて据込み鍛造により太くされている。この実施形態では、視覚的に知覚できるイメージの寸法が変動し、すなわち、多層体１が傾斜したときに、半径方向外向きに移動する表現の寸法が本件では増加する。この実施形態では、マイクロレンズのグリッド幅が一定であるため、マイクロイメージのグリッド幅は適切に変動して寸法の増加を与え、かつ、据込み鍛造により太くされるファクターは適切に適用され、すなわち、拡大ファクターに比例して変動される。
【００７２】
図１１は多層体５を作るプロセスを示している。
【００７３】
多層体５は、カード形態のセキュリティ、ドキュメントであることが好ましく、例えば、アイデンティティーカード又はパス、クレジットカード又は運転免許証である。
【００７４】
層５２がプラスチック担持体５３に貼られる。プラスチック担持体５３は３００μｍ〜６００μｍの厚さのプラスチック製フィルム、好ましくはポリカーボネートからなることが好ましい。層５２は多層フィルムの転移層部によって形成され、かつ、プラスチック担持体５３の領域に対するパッチの形態をしたホットエンボッシングによって貼られた多層フィルム体であることが好ましい。このケースでは、層５２は、図１の層１３のように形成されることが好ましく、かつ、金属反射層がマイクロイメージの形態で金属化／非金属化される、例えば、金属化されたキネグラム（登録商標）を具備している。層５１はここで層５２及び５３から形成されたフィルム体に貼られ、層５１は約７００μｍの厚さから成るプラスチックフィルムであることが好ましい。層５１の厚さは、該厚さがマイクロレンズグリッドのマイクロレンズの焦点距離に対応するように選択されるのが好ましい。このプラスチックフィルムはポリカーボネートであることが好ましい。結果として得られる層スタックは、上部押圧プレート４１及び下部押圧プレート４２を示している図１１の積層ツール内に導入される。上部押圧プレート４１はレンズグリッドの負形態が形成されるニッケル型４３を具備している。層５２に設けられたレンズグリッド及びマイクロイメージグリッドは上述した図１〜図１０の１つにそれぞれ示すようにマイクロレンズグリッド及びマイクロイメージグリッドを含んでいる。
【００７５】
層５２がプラスチック製フィルム、好ましくはポリカーネイトから構成し、その上に図１に示すような層１３がホットエンボッシングによって積層されるようにすることも可能である。層５２は、このとき、層５１間に挟持物として配置され、その後、全システムは一緒に積層される。
【００７６】
上部押圧プレート４１及び下部押圧プレート４２はここで積層段階において加熱され、かつ、互いに対して移動され、その結果、層５１〜５３は一緒に積層されて同時にレンズ格子が層５１の表面に形成される。
【図１】
0005498948.tif 000002
【図２】
0005498948.tif 000003
【図３】
0005498948.tif 000004
【図４】
0005498948.tif 000005
【図５】
0005498948.tif 000006
【図６】
0005498948.tif 000007
【図７】
0005498948.tif 000008
【図８】
0005498948.tif 000009
【図９】
0005498948.tif 000010
【図１０】
0005498948.tif 000011
【図１１】
0005498948.tif 000012